(57)【要約】【課題】意匠性を向上できるとともに、カバー部材の着脱を迅速に行うことができ、さらに、カバー部材の取付強度を保持できる、指詰め防止装置および戸構造を提供する。【解決手段】戸構造１０は、開口枠１４と戸１８と指詰め防止装置２０とによって構成されている。指詰め防止装置２０は、開口枠１４と戸１８との間に生じる隙間Ｓの少なくとも一部を遮蔽するシート状のカバー部材３４と、カバー部材３４の幅方向一方端部３４ａを開口枠１４に取り付ける一端取付部材３６と、カバー部材３４の幅方向他方端部３４ｂを戸１８に取り付ける他端取付部材３８とを備えており、他端取付部材３８は、戸１８に固定される固定部材４６と、幅方向他方端部３４ｂを固定部材４６に対して着脱する着脱部材４８とを有する「着脱式取付部材」である。【選択図】図３
2008231673.tif 000002
【特許請求の範囲】
【請求項１】
支持体と前記支持体に支持金具を介して回動自在に支持された戸との間において前記戸を開いた際に生じる隙間を遮蔽する指詰め防止装置であって、
前記隙間の少なくとも一部を遮蔽するシート状のカバー部材、
前記カバー部材の幅方向一方端部を前記支持体に取り付ける一端取付部材、および
前記カバー部材の幅方向他方端部を前記戸に取り付ける他端取付部材を備えており、
前記一端取付部材または前記他端取付部材の少なくとも一方は、前記支持体または前記戸に固定される固定部材と、前記幅方向一方端部または前記幅方向他方端部を前記固定部材に対して着脱する着脱部材とを有する「着脱式取付部材」である、指詰め防止装置。
【請求項２】
前記固定部材は係止突部を有しており、前記着脱部材は前記係止突部に係止される係止部を有しており、前記係止突部に前記係止部を係止させたとき、前記固定部材と前記着脱部材との間で前記幅方向一方端部または前記幅方向他方端部が挟持される、請求項１に記載の指詰め防止装置。
【請求項３】
前記一端取付部材または前記他端取付部材を構成する前記固定部材は、上下方向へ延びる板状部を有しており、前記板状部には、左右方向へ延びる長孔が形成されており、前記長孔に挿通された固定具によって前記固定部材が前記支持体または前記戸に固定される、請求項１または２に記載の指詰め防止装置。
【請求項４】
前記長孔は、前記カバー部材によって覆い隠される位置に形成されている、請求項３に記載の指詰め防止装置。
【請求項５】
開口部に設けられた開口枠、前記開口枠に支持金具を介して回動自在に支持された戸、および前記開口枠と前記戸との間において前記戸を開いた際に生じる隙間を遮蔽する指詰め防止装置を備える、戸構造であって、
前記指詰め防止装置は、前記隙間の少なくとも一部を遮蔽するシート状のカバー部材と、前記カバー部材の幅方向一方端部を前記開口枠に取り付ける一端取付部材と、前記カバー部材の幅方向他方端部を前記戸に取り付ける他端取付部材とを備えており、
前記一端取付部材または前記他端取付部材の少なくとも一方は、前記開口枠または前記戸に固定される固定部材と、前記幅方向一方端部または前記幅方向他方端部を前記固定部材に対して着脱する着脱部材とを有する「着脱式取付部材」である、戸構造。
【発明の詳細な説明】
【技術分野】
【０００１】
本発明は、支持体と支持体に支持金具を介して回動自在に支持された戸との間において戸を開いた際に生じる隙間で手指を挟むのを防止する、指詰め防止装置および戸構造を提供することである。
【背景技術】
【０００２】
マンションまたは戸建住宅等の建物においては、玄関、トイレまたは部屋等の出入口となる開口部に開口枠等の支持体が設けられており、この支持体に蝶番等の支持金具を介して戸（開き戸）が回動自在に支持されている。このような戸構造では、戸が開いた際に、支持体と戸との間に隙間が生じるため、当該隙間に手指が入り込む恐れがあり、手指が入り込んだ状態で戸が閉じられると、手指が挟まれて怪我をする恐れがあった。
【０００３】
この問題を解決する手段として、特許文献１および２には、「開口枠等の支持体に収納部を設け、収納部の内部にロール状に巻かれたカバー部材（すなわち、「遮蔽板」または「シート」）を収納し、収納部からカバー部材を引き出すとともに、カバー部材の端部を戸の表面にビス等の固定具を用いて固定した、指詰め防止装置」が記載されている。
【特許文献１】特開平０７−０１０３５２号
【特許文献２】特開平０９−２７３３５７号
【発明の開示】
【発明が解決しようとする課題】
【０００４】
特許文献１および２に記載された「指詰め防止装置」によれば、支持体と戸との間に生じる隙間をカバー部材で遮蔽することができるので、当該隙間に手指が挟まれるのを確実に防止できる。また、必要量のカバー部材を収納部から引き出して用いることができるので、余剰のカバー部材によって意匠性が損なわれることもない。
【０００５】
しかし、カバー部材の端部を戸の表面に固定する際には、ビス等の固定具を用いていたので、固定具の頭部が戸の表面に現れることとなり、これにより意匠性が損なわれるという問題があった。
【０００６】
また、支持体または戸に対する支持金具（蝶番等）の取付位置を調整する際には、支持金具を覆っているカバー部材を一旦取り外してから、支持金具の位置調整機構をドライバー等の工具で操作する必要があるが、カバー部材を取り外す際には、複数の固定具（ビス等）を1つずつ取り外さなければならないため、「取り外し」および「取り付け」に時間がかかるという問題があった。さらに、カバー部材の「取り外し」および「取り付け」を繰り返すと、固定具（ビス等）の固定力が低下し、カバー部材の取付強度が損なわれるという問題もあった。
【０００７】
それゆえに本発明の主たる課題は、意匠性を向上できるとともに、カバー部材の着脱を迅速に行うことができ、さらに、カバー部材の取付強度の低下を防止できる、指詰め防止装置および戸構造を提供することである。
【課題を解決するための手段】
【０００８】
請求項１に記載した発明は、「支持体１４と前記支持体１４に支持金具１６を介して回動自在に支持された戸１８との間において前記戸１８を開いた際に生じる隙間Ｓを遮蔽する指詰め防止装置２０であって、前記隙間Ｓの少なくとも一部を遮蔽するシート状のカバー部材３４、前記カバー部材３４の幅方向一方端部３４ａを前記支持体１４に取り付ける一端取付部材３６、および前記カバー部材３４の幅方向他方端部３４ｂを前記戸１８に取り付ける他端取付部材３８を備えており、前記一端取付部材３６または前記他端取付部材３８の少なくとも一方は、前記支持体１４または前記戸１８に固定される固定部材４６，６０と、前記幅方向一方端部３４ａまたは前記幅方向他方端部３４ｂを前記固定部材４６，６０に対して着脱する着脱部材４８，６２とを有する「着脱式取付部材」である、指詰め防止装置２０」である。
【０００９】
本発明において、一端取付部材３６または他端取付部材３８の少なくとも一方は、固定部材４６，６０と着脱部材４８，６２とを有する「着脱式取付部材」であり、カバー部材３４の幅方向一方端部３４ａまたは幅方向他方端部３４ｂが着脱部材４８，６２によって固定部材４６，６０に対して着脱される。
【００１０】
したがって、一端取付部材３６に「着脱式取付部材」を採用すると、「支持体１４の表面に固定具（ビス等）が現れること」はなく、他端取付部材３８に「着脱式取付部材」を採用すると、「戸１８の表面に固定具（ビス等）が現れること」はなく、いずれの場合も意匠性を高めることができる。
【００１１】
請求項２に記載した発明は、請求項１に記載した「指詰め防止装置２０」において、「前記固定部材４６は係止突部５２を有しており、前記着脱部材４８は前記係止突部５２に係止される係止部４８ａ，４８ｂを有しており、前記係止突部５２に前記係止部４８ａ，４８ｂを係止させたとき、前記固定部材４６と前記着脱部材４８との間で前記幅方向一方端部３４ａまたは前記幅方向他方端部３４ｂが挟持される」ことを特徴とする。
【００１２】
本発明は、「着脱式取付部材」の構成をより限定したものであり、固定部材４６と着脱部材４８との間で幅方向一方端部３４ａまたは幅方向他方端部３４ｂを挟持するようにしたものである。
【００１３】
請求項３に記載した発明は、請求項１または２に記載した「指詰め防止装置２０」において、「前記一端取付部材３６または前記他端取付部材３８を構成する前記固定部材４６，６０は、上下方向へ延びる板状部５０，６４を有しており、前記板状部５０，６４には、左右方向へ延びる長孔５４，６８が形成されており、前記長孔５４，６８に挿通された固定具５６によって前記固定部材４６，６０が前記支持体１４または前記戸１８に固定される」ことを特徴とする。
【００１４】
本発明では、板状部５０，６４に左右方向へ延びる長孔５４が形成されているので、当該長孔５４，６８に挿通された固定具５６に対して固定部材４６，６０を左右方向へ移動させることができ、固定部材４６，６０の左右方向位置を微調整することができる。
【００１５】
なお、本発明における「上下方向」は「戸１８の縦方向と平行な方向」を意味し、通常は、「鉛直方向」と一致する。また、「左右方向」は「上下方向に対して直交する方向」を意味し、板状部５０，６４の幅方向と一致する。
【００１６】
請求項４に記載した発明は、請求項３に記載した「指詰め防止装置２０」において、「前記長孔５４，６８は、前記カバー部材３４によって覆い隠される位置に形成されている」ことを特徴とする。
【００１７】
本発明によれば、カバー部材３４によって「長孔５４，６８」および「長孔５４，６８に挿通された固定具５６」を覆い隠すことができる。
【００１８】
請求項５に記載した発明は、「開口部１２に設けられた開口枠１４、前記開口枠１４に支持金具１６を介して回動自在に支持された戸１８、および前記開口枠１４と前記戸１８との間において前記戸１８を開いた際に生じる隙間Ｓを遮蔽する指詰め防止装置２０を備える、戸構造１０であって、前記指詰め防止装置２０は、前記隙間Ｓの少なくとも一部を遮蔽するシート状のカバー部材３４と、前記カバー部材３４の幅方向一方端部３４ａを前記開口枠１４に取り付ける一端取付部材３６と、前記カバー部材３４の幅方向他方端部３４ｂを前記戸１８に取り付ける他端取付部材３８とを備えており、前記一端取付部材３６または前記他端取付部材３８の少なくとも一方は、前記開口枠１４または前記戸１８に固定される固定部材４６，６０と、前記幅方向一方端部３４ａまたは前記幅方向他方端部３４ｂを前記固定部材４６，６０に対して着脱する着脱部材４８，６２とを有する「着脱式取付部材」である、戸構造」である。
【００１９】
本発明は、請求項１に記載した指詰め防止装置２０を用いた戸構造１０に関するものである。
【発明の効果】
【００２０】
請求項１〜５に記載した発明では、カバー部材の幅方向一方端部または幅方向他方端部が、固定部材と着脱部材とを有する「着脱式取付部材」によって支持体または戸に取り付けられる。したがって、カバー部材の幅方向一方端部または幅方向他方端部をビス等の固定具を用いて支持体または戸へ直接取り付ける必要はなく、当該固定具の頭部によって支持体または戸の表面の意匠性が損なわれることはない。また、ビス等の固定具を用いる場合に比べて、カバー部材の「取り外し」および「取り付け」を迅速に行うことができる。さらに、カバー部材の「取り外し」および「取り付け」を繰り返した場合でも、カバー部材の取付強度が損なわれることはない。
【発明を実施するための最良の形態】
【００２１】
図１は、本発明が適用された戸構造１０を示す正面図であり、図２は、図１におけるII-II線断面図である。戸構造１０（図１、図２）は、開口部１２に設けられた開口枠１４、開口枠１４に蝶番等の支持金具１６を介して回動自在に支持された戸１８、および開口枠１４と戸１８との間において戸１８を開いた際に生じる隙間Ｓ（図２）を遮蔽する指詰め防止装置２０を備えている。
【００２２】
開口部１２は、マンションまたは戸建住宅等の建物において、玄関、トイレまたは部屋等の出入口や、収納等の建具の出入口となる部分であり、開口部１２の内側縁に開口枠１４が設けられている。
【００２３】
開口枠１４は、戸１８を支持する「支持体」として機能するものであり、図１に示すように、開口部１２の左右内側縁に設けられた２つの縦枠２２と、開口部１２の上内側縁に設けられた横枠２４とによって略コ字状に構成されており、縦枠２２および横枠２４には、戸１８が当たる棒状の戸当り２６が取り付けられている。
【００２４】
戸１８は、図２に示すように、開口部１２を塞ぐ板状の戸パネル２８と、戸パネル２８の両主面に取り付けられたハンドル３０と、戸パネル２８の幅方向一方端面に出入自在に設けられ、一方の縦枠２２に取り付けられた凹状金具（図示省略）に係止される係止金具３２とによって構成されている。そして、この戸１８が開口枠１４の他方の縦枠２２に蝶番等の支持金具１６を介して回動自在に支持されている。したがって、支持金具１６を軸として戸パネル２８を回動させることによって戸１８を開閉でき、戸１８を開いた際には、開口枠１４（縦枠２２）と戸１８との間に隙間Ｓが生じることになる。
【００２５】
指詰め防止装置２０は、図３および図４に示すように、隙間Ｓ（図２，３）を遮蔽するカバー部材３４と、カバー部材３４の幅方向一方端部３４ａを開口枠１４に取り付ける一端取付部材３６と、カバー部材３４の幅方向他方端部３４ｂを戸１８に取り付ける他端取付部材３８とを備えている。
【００２６】
カバー部材３４（図３，４）は、隙間Ｓの少なくとも一部を遮蔽する略四角形のシート状部材であり、ロール状に巻かれた状態で使用される。
【００２７】
カバー部材３４の材質や形態は、特に限定されるものではなく、合成樹脂材料（ポリオレフィン、ポリエステル等）または天然材料（天然繊維等）からなるシート、織布または不織布等を任意に選択して用いることができるが、「傷付き」や「凹み」等を防止するためには、或る程度の弾性を有する材質や形態であること望ましい。また、カバー部材３４の色柄は、特に限定されるものではないが、意匠性を考慮すると、開口枠１４または戸１８の色柄と同じ色柄であることが望ましい。さらに、カバー部材３４の上下方向長さは、人が通常手を添える箇所を覆うことのできる長さであれば足りるが、意匠性や安全性を考慮すると、隙間Ｓのほぼ全長を覆うことのできる長さであることが望ましい。
【００２８】
一端取付部材３６は、ロール状に巻かれたカバー部材３４の幅方向一方端部３４ａを「支持体」としての開口枠１４に取り付ける「巻取式取付部材」であり、カバー部材３４を収納する収納部４０と、収納部４０の内部に回転自在に配設された回転軸４２と、回転軸４２に復元力を付与するバネ４４とを有している。
【００２９】
収納部４０は、略Ｕ字状の断面を有する筒状部材であり、収納部４０の側壁の湾曲した部分には、カバー部材３４を引き出すためのスリット状の開口部４０ａが上下方向へ延びて形成されている。そして、この収納部４０が開口枠１４を構成する縦枠２２の側面にビス等の固定具（図示省略）を用いて固定されている。
【００３０】
回転軸４２は、カバー部材３４が巻き付けられる棒状部材であり、カバー部材３４が巻き付けられた状態で収納部４０の内部に収納されている。そして、回転軸４２の軸方向両端部が収納部４０の上下両端部に設けられた軸受部（図示省略）によって回転自在に支持されている。なお、回転軸４２に巻き付けられたカバー部材３４の幅方向一方端部３４ａは、回転軸４２に固定されている。したがって、カバー部材３４を最大に引き出した場合でも、幅方向一方端部３４ａが回転軸４２から離脱することはない。
【００３１】
バネ４４は、渦巻状に巻かれた板バネであり、バネ４４の内側の端部は、収納部４０の上端部または下端部に固定されており、バネ４４の外側の端部は、回転軸４２の内面に固定されている。したがって、回転軸４２に巻かれたカバー部材３４を収納部４０の開口部４０ａから引き出すと、回転軸４２が回転されるとともにバネ４４が巻かれ、回転軸４２に対してバネ４４の復元力が作用するとともに、カバー部材３４に対して弛みを生じない程度の張力が作用する。
【００３２】
なお、一端取付部材３６においては、戸１８を完全に閉じたときにカバー部材３４の引き出し量が最も短くなり、バネ４４の復元力が最も小さくなるが、カバー部材３４の弛みを防止するためには、バネ４４の復元力が「ゼロ」になることのないように各種条件を設定しておくことが望ましい。
【００３３】
他端取付部材３８は、カバー部材３４の幅方向他方端部３４ｂを戸１８に対して着脱自在に取り付ける「着脱式取付部材」であり、図５および図６に示すように、戸１８に固定される固定部材４６と、幅方向他方端部３４ｂを固定部材４６に対して着脱する着脱部材４８とを有している。
【００３４】
固定部材４６は、上下方向へ延びる帯状の板状部５０と、板状部５０の表面に突設された係止突部５２とによって構成されている。係止突部５２は、互いに平行に延びる一対の突条５２ａおよび５２ｂを有しており、一方の突条５２ａは、板状部５０の幅方向一方端縁５０ａに上下方向へ延びて形成されており、他方の突条５２ｂは、板状部５０の幅方向中央部に上下方向へ延びて形成されている。また、突条５２ａおよび５２ｂは、水平断面が円弧状となるように湾曲して形成されており、当該円弧状の内側となる側面どうしが対向している。したがって、係止突部５２を平面視すると、図７に示すように、一部が欠損した「長円形」に見える。
【００３５】
そして、板状部５０における係止突部５２を避けた位置、すなわち「板状部５０の幅方向他方端縁５０ｂから幅方向中央部までの範囲内の所定位置」には、板状部５０の幅方向、すなわち左右方向へ延びる複数の長孔５４が上下方向へ間隔を隔てて形成されている。長孔５４の上下方向幅は、そこに挿通される固定具（ビス等）５６の本体直径よりも大きく、かつ、頭部直径よりも小さく設定されており、長孔５４の左右方向幅（長さ）は、固定具５６に対する固定部材４６の位置調整が可能なように、固定具５６の本体直径よりも十分に大きく設定されている。
【００３６】
固定部材４６を戸１８の表面に固定する際には、板状部５０の幅方向一方端縁５０ａが戸１８の中央側に位置するようにして、固定部材４６を位置決めする。続いて、固定部材４６の板状部５０に形成された長孔５４に固定具（ビス等）５６を挿通し、これを戸１８の表面に仮固定する。そして、長孔５４を利用して固定部材４６の位置を左右方向へ微調整し、その後、固定具５６を戸１８の表面に本固定する。固定部材４６を戸１８の表面に固定した状態では、図３および図４に示すように、カバー部材３４によって長孔５４が覆い隠されることになる。したがって、本実施例においては、「長孔５４は、カバー部材３４によって覆い隠される位置に形成されている。」と言うことができる。
【００３７】
着脱部材４８は、固定部材４６の長さとほぼ同じ長さを有する棒状部材であり、突条５２ａおよび５２ｂによって囲まれた空間Ａの開口部を閉塞する帯状の本体部４８ｃと、本体部４８ｃの幅方向一方端縁に設けられ、突条５２ａの外面に係止される係止部４８ａと、本体部４８ｃの幅方向他方端縁に設けられ、突条５２ｂの外面に係止される係止部４８ｂとによって構成されている。
【００３８】
係止部４８ａは、突条５２ａとの間でカバー部材３４の幅方向他方端部３４ｂを挟持し得るように、突条５２ａの外面に沿う曲率で湾曲して形成されており、係止部４８ｂは、突条５２ｂとの間でカバー部材３４の幅方向他方端部３４ｂを挟持し得るように、突条５２ｂの外面に沿う曲率で湾曲して形成されている。したがって、着脱部材４８を平面視すると、図７に示すように、一部が欠損した「長円形」に見える。
【００３９】
「固定部材４６の突条５２ａおよび５２ｂ」または「着脱部材４８の係止部４８ａおよび４８ｂ」の少なくとも一方は、合成樹脂等によって弾性変形可能に形成されている。したがって、「着脱部材４８の係止部４８ａおよび４８ｂ」が「固定部材４６の突条５２ａおよび５２ｂ」を抱き込む構成であるにもかかわらず、着脱部材４８を固定部材４６に対して簡単に装着することができる。
【００４０】
カバー部材３４の幅方向他方端部３４ｂを固定部材４６に着脱部材４８を用いて取り付ける際には、図６に示すように、カバー部材３４の幅方向他方端部３４ｂを着脱部材４８の内側に巻き込み、その状態で、着脱部材４８の係止部４８ａおよび４８ｂを固定部材４６の係止突部５２、すなわち突条５２ａおよび５２ｂに係止する。すると、固定部材４６の突条５２ａおよび５２ｂと着脱部材４８の係止部４８ａおよび４８ｂとの間で幅方向他方端部３４ｂが挟持され、戸１８に対する幅方向他方端部３４ｂの取り付けが完了する。
【００４１】
カバー部材３４の幅方向他方端部３４ｂを戸１８に取り付けた状態では、図３および図４に示すように、カバー部材３４によって隙間Ｓが遮蔽されるとともに、長孔５４および固定具５６が覆い隠される。
【００４２】
戸構造１０を組み立てた後、支持体１４または戸１８に対する支持金具（蝶番等）１６の取付位置を調整する際には、支持金具１６を覆っているカバー部材３４を一旦取り外してから、支持金具１６の位置調整機構をドライバー等の工具で操作することになるが、カバー部材３４を取り外す作業は、固定部材４６の係止突部５２から着脱部材４８の係止部４８ａおよび４８ｂを離脱させるだけで簡単に行うことができる。
【００４３】
なお、上述の実施例では、カバー部材３４の幅方向他方端部３４ｂを、「係止部４８ａと突条５２ａとの間」および「係止部４８ｂと突条５２ｂとの間」の２箇所で挟持するようにしているが、図８に示すように、「係止部４８ａと突条５２ａとの間」だけで挟持するようにしてもよい。また、図９に示すように、カバー部材３４の幅方向他方端部３４ｂに着脱部材４８を接着剤等によって予め接合しておくようにしてもよい。
【００４４】
また、上述の実施例では、カバー部材３４の幅方向一方端部３４ａを開口枠１４に取り付ける一端取付部材３６として「巻取式取付部材」を採用し、幅方向他方端部３４ｂを戸１８に取り付ける他端取付部材３８として「着脱式取付部材」を採用しているが、図１０に示すように、一端取付部材３６として「着脱式取付部材」を採用し、他端取付部材３８として「巻取式取付部材」を採用してもよい。
【００４５】
また、一端取付部材３６として「巻取式取付部材」を採用する場合には、図１１に示すように、収納部４０を開口枠１４に埋め込むようにしてもよい。
【００４６】
そして、「着脱式取付部材」としては、図１２に示す他端取付部材５８のように、「面ファスナー」を用いて着脱するものであってもよい。
【００４７】
他端取付部材５８は、戸１８に固定される固定部材６０と、カバー部材３４の幅方向他方端部３４ｂを固定部材６０に対して着脱する着脱部材６２とを有している。
【００４８】
固定部材６０は、上下方向へ延びる板状部６４と、板状部６４の幅方向一方端縁から立ち上がって形成された立上部６６とを有する棒状部材であり、板状部６４には、左右方向（幅方向）へ延びる複数の長孔６８が上下方向へ間隔を隔てて形成されている。一方、着脱部材６２は、一般的な「面ファスナー」であり、固定部材６０の立上部６６に取り付けられた帯状のファスナー片６２ａと、カバー部材３４の幅方向他方端部３４ｂに取り付けられた帯状のファスナー片６２ｂとによって構成されている。
【００４９】
したがって、他端取付部材５８においては、ファスナー片６２ａとファスナー片６２ｂとを係止させることによって、カバー部材３４の幅方向他方端部３４ｂを固定部材６０に簡単に取り付けることができる。
【００５０】
さらに、上述の実施例では、カバー部材３４をロール状に巻いて用いるようにしているが、図１３に示すように、カバー部材３４を蛇腹状に折り曲げて用いるようにしてもよい。この場合には、幅方向一方端部３４ａまたは幅方向他方端部３４ｂのいずれか一方の取り付けだけでなく、両方の取り付けに、図３または図１２に示したような「着脱式取付部材」を採用してもよい。
【図面の簡単な説明】
【００５１】
【図１】戸構造を示す正面図
【図２】図１におけるII-II線断面図
【図３】指詰め防止装置を示す断面図
【図４】指詰め防止装置を示す斜視図
【図５】「着脱式取付部材」を示す斜視図
【図６】図５に示した「着脱式取付部材」の使用方法を示す斜視図
【図７】図５に示した「着脱式取付部材」の平面図
【図８】図５に示した「着脱式取付部材」の他の使用方法を示す平面図
【図９】図５に示した「着脱式取付部材」の変形例を示す平面図
【図１０】「着脱式取付部材」と「巻取式取付部材」とを取り替えた状態を示す断面図
【図１１】収納部を開口枠に埋め込んだ状態を示す断面図
【図１２】「着脱式取付部材」の変形例を示す断面図
【図１３】カバー部材の変形例を示す断面図
【符号の説明】
【００５２】
１０…  戸構造
１４…  開口枠
１６…  支持金具
１８…  戸
２０…  指詰め防止装置
２２…  縦枠
３４…  カバー部材
３６…  一端取付部材
３８，５８…  他端取付部材
４０…  収納部
４２…  回転軸
４４…  バネ
４６，６０…  固定部材
４８，６２…  着脱部材
４８ａ，４８ｂ…  係止部
５０，６４…  板状部
５２…  係止突部
５２ａ，５２ｂ…  突条
５４，６８…  長孔
５６…  固定具
６２ａ，６２ｂ…  ファスナー片
【図１】
2008231673.tif 000003
【図２】
2008231673.tif 000004
【図３】
2008231673.tif 000005
【図４】
2008231673.tif 000006
【図５】
2008231673.tif 000007
【図６】
2008231673.tif 000008
【図７】
2008231673.tif 000009
【図８】
2008231673.tif 000010
【図９】
2008231673.tif 000011
【図１０】
2008231673.tif 000012
【図１１】
2008231673.tif 000013
【図１２】
2008231673.tif 000014
【図１３】
2008231673.tif 000015